(57)【要約】【課題】内燃機関により駆動される車両の運転フィーリングを十分に楽しむことができるハイブリッド駆動装置を提供する。【解決手段】本発明は、ハイブリッド駆動装置(10)であって、内燃機関(12)と、駆動力を主駆動輪(2a)に伝達する動力伝達機構(14)と、主駆動輪の駆動力を発生する主駆動電動機(16)と、蓄電器(18)と、副駆動輪(2b)の駆動力を発生する副駆動電動機(20)と、電動機走行モード及び内燃機関走行モードを実行する制御装置(24)とを有し、副駆動電動機は副駆動輪各輪に設けられ、制御装置は、電動機走行モードにおいては主駆動電動機のみに駆動力を発生させる一方、所定車速以上での車両の加速時には、主駆動電動機及び副駆動電動機に駆動力を発生させ、内燃機関走行モードにおいては内燃機関に駆動力を発生させる一方、主駆動電動機及び副駆動電動機には駆動力を発生させないことを特徴としている。【選択図】図１
2019163021.tif 000002
【特許請求の範囲】
【請求項１】
車両を駆動するためのハイブリッド駆動装置であって、
車両の主駆動輪に対する駆動力を発生するための内燃機関と、
この内燃機関が発生した駆動力を上記主駆動輪に伝達するための動力伝達機構と、
上記主駆動輪に対する駆動力を発生するための永久磁石電動機である主駆動電動機と、
この主駆動電動機を作動させる電力を蓄積するための蓄電器と、
車両の副駆動輪に対する駆動力を発生するための誘導電動機である副駆動電動機と、
上記内燃機関、上記主駆動電動機、及び上記副駆動電動機を制御して、電動機走行モード及び内燃機関走行モードを実行する制御装置と、を有し、
上記主駆動電動機が発生した駆動力は、上記動力伝達機構の少なくとも一部を介して上記主駆動輪に伝達され、
上記副駆動電動機は、車両のバネ下に、上記副駆動輪各輪に設けられ、
上記制御装置は、上記電動機走行モードにおける車両の発進時及び定常走行時には上記主駆動電動機のみに駆動力を発生させる一方、車両の減速時には上記副駆動電動機には電力を回生させ、
上記制御装置は、上記電動機走行モードにおける所定車速以上での車両の加速時には、上記主駆動電動機及び上記副駆動電動機に駆動力を発生させ、
上記制御装置は、上記内燃機関走行モードにおいては、上記内燃機関に駆動力を発生させる一方、上記主駆動電動機及び上記副駆動電動機には車両を駆動するための駆動力を発生させないことを特徴とするハイブリッド駆動装置。
【請求項２】
さらに、上記副駆動電動機によって回生された電力を蓄積するためのキャパシタを有し、上記副駆動電動機は、常に上記キャパシタを介して駆動される請求項１記載のハイブリッド駆動装置。
【請求項３】
上記キャパシタと上記蓄電器は直列に接続されていると共に、上記キャパシタは上記副駆動輪各輪の間に配置され、上記副駆動電動機は、上記主駆動電動機よりも高い電圧で駆動される請求項２記載のハイブリッド駆動装置。
【請求項４】
上記副駆動電動機は、上記副駆動輪各々に内蔵されたインホイール電動機である請求項１乃至３の何れか１項に記載のハイブリッド駆動装置。
【請求項５】
上記副駆動電動機は、変速機を介することなく直接、上記副駆動輪を駆動するように構成されている１乃至４の何れか１項に記載のハイブリッド駆動装置。
【請求項６】
上記内燃機関は車両の運転席よりも前方側に配置され、上記動力伝達機構は上記内燃機関から、車両の後輪である主駆動輪に動力を伝達するように構成され、上記キャパシタは上記内燃機関の直前に配置されると共に、車両の前輪である副駆動輪各輪に設けられた上記副駆動電動機に電力を供給する請求項２乃至５の何れか１項に記載のハイブリッド駆動装置。
【請求項７】
上記内燃機関は、フライホイールを備えないフライホイールレスエンジンである請求項１乃至６の何れか１項に記載のハイブリッド駆動装置。
【請求項８】
乗員が上記電動機走行モード及び上記内燃機関走行モードのいずれかを選択可能な走行モード選択器を更に有し、
上記制御装置は、上記走行モード選択器により選択された走行モードに基づき、上記内燃機関、上記主駆動電動機及び上記副駆動電動機を制御する、
請求項１乃至７の何れか１項に記載のハイブリッド駆動装置。
【請求項９】
車両を駆動するためのハイブリッド駆動装置であって、
車輪に対する駆動力を発生するための内燃機関と、
上記車輪に対する駆動力を発生するための電動機と、
乗員が電動機走行モード及び内燃機関走行モードのいずれかを選択可能な走行モード選択器と、
上記走行モード選択器により選択された走行モードに基づき、上記内燃機関及び上記電動機を制御する制御装置と、
を有し、
上記制御装置は、上記走行モード選択器により上記電動機走行モードが選択されたときには、上記駆動力を発生させるように上記電動機を制御し、上記走行モード選択器により上記内燃機関走行モードが選択されたときには、上記駆動力を発生させないように上記電動機を制御するように構成される、ことを特徴とするハイブリッド駆動装置。
【発明の詳細な説明】
【技術分野】
【０００１】
本発明はハイブリッド駆動装置に関し、特に車両を駆動するためのハイブリッド駆動装置に関する。
【背景技術】
【０００２】
近年、世界各国において車両の排出ガス規制が強化され、車両の燃費、走行距離当たりの二酸化炭素排出量等に対する要求が厳しくなっている。また、内燃機関で走行する車両の市街地への進入を規制している都市も存在する。これらの要求を満足するため、内燃機関及び電動機を備えたハイブリッド駆動の車両や、電動機のみによって駆動される電気自動車が開発され、広く普及している。
【０００３】
特許第５２８０９６１号公報（特許文献１）には、車両の駆動制御装置が記載されている。この駆動制御装置においては、車両の後輪側に駆動装置が設けられており、この駆動装置に備えられた２つの電動機が、車両の後輪を夫々駆動する。また、この駆動装置とは別に、内燃機関と電動機が直列に接続された駆動ユニットが車両の前部に設けられている。駆動ユニットの動力はトランスミッション及び主駆動軸を介して前輪に伝達され、駆動装置の動力は車両の後輪に伝達される。また、この駆動制御装置において、車両の発進時には、駆動装置の２つの電動機が駆動され、この駆動力が車両の後輪に夫々伝達される。さらに、車両の加速時には駆動ユニットも駆動力を発生し、駆動ユニット、及び駆動装置の２つの電動機による四輪駆動となる。このように、特許文献１記載の駆動制御装置においては、主に車両の後輪用に夫々設けられた２つの電動機が駆動力を発生している。
【先行技術文献】
【特許文献】
【０００４】
【特許文献１】特許第５２８０９６１号
【発明の概要】
【発明が解決しようとする課題】
【０００５】
電動機による車両の駆動は、走行中に二酸化炭素を排出しないため、年々強化される排出ガス規制をクリアするためには有利であるが、バッテリに蓄積可能な電力に限界があり、十分に長い航続距離を確保することが困難である。このため、車両用の駆動装置として、電動機と共に内燃機関を搭載したハイブリッド駆動装置が広く普及している。また、このようなハイブリッド駆動装置においても、走行中の二酸化炭素排出量を低減するため、特許文献１に記載されている車両のように、主として電動機による駆動力を利用する車両が増加している。
【０００６】
このように、電動機の駆動力を主体とするハイブリッド駆動装置では、十分な走行性能を確保するために大容量のバッテリを搭載する必要がある。また、電動機により十分な駆動力を得るためには、比較的高電圧で電動機を作動させる必要がある。このため、電動機の駆動力を主体とするハイブリッド駆動装置では、大容量のバッテリが要求されると共に、電動機に高電圧を供給する電気系統を電気的に十分に絶縁する必要があり、これらが車両の全体的な重量を増加させ、車両の燃費を悪化させる。さらに、重量の大きい車両を電動機で駆動するために、更なる大容量のバッテリや高電圧が必要となり、これが更なる重量の増加を生む悪循環に陥るという問題がある。
【０００７】
また一方、内燃機関によって駆動される車両の走行には独特のフィーリングがあり、内燃機関による車両の運転を好む根強い愛好者も数多い。しかしながら、年々強化される排出ガス規制により、内燃機関によって駆動される車両を使用し続けることが困難になると予想される。ハイブリッド駆動装置を備えた車両には内燃機関も備えられているが、燃費を十分に低減するために多くの場合、内燃機関による駆動力と、電動機による駆動力が併用されている。このため、ハイブリッド駆動装置において内燃機関を作動させていても、運転者には内燃機関により駆動される車両のフィーリングが伝わらず、内燃機関による車両を運転する楽しみが得られないという問題がある。
【０００８】
従って、本発明は、電動機による駆動の強化と車両重量増加の悪循環に陥ることなく、内燃機関により駆動される車両の運転フィーリングを十分に楽しむことができるハイブリッド駆動装置を提供することを目的としている。
【課題を解決するための手段】
【０００９】
上述した課題を解決するために、本発明は、車両を駆動するためのハイブリッド駆動装置であって、車両の主駆動輪に対する駆動力を発生するための内燃機関と、この内燃機関が発生した駆動力を主駆動輪に伝達するための動力伝達機構と、主駆動輪に対する駆動力を発生するための永久磁石電動機である主駆動電動機と、この主駆動電動機を作動させる電力を蓄積するための蓄電器と、車両の副駆動輪に対する駆動力を発生するための誘導電動機である副駆動電動機と、内燃機関、主駆動電動機、及び副駆動電動機を制御して、電動機走行モード及び内燃機関走行モードを実行する制御装置と、を有し、主駆動電動機が発生した駆動力は、動力伝達機構の少なくとも一部を介して主駆動輪に伝達され、副駆動電動機は、車両のバネ下に、副駆動輪各輪に設けられ、制御装置は、電動機走行モードにおける車両の発進時及び定常走行時には、主駆動電動機のみに駆動力を発生させる一方、車両の減速時には副駆動電動機には電力を回生させ、制御装置は、電動機走行モードにおける所定車速以上での車両の加速時には、主駆動電動機及び副駆動電動機に駆動力を発生させ、制御装置は、内燃機関走行モードにおいては、内燃機関に駆動力を発生させる一方、主駆動電動機及び副駆動電動機には車両を駆動するための駆動力を発生させないことを特徴としている。
【００１０】
このように構成された本発明においては、内燃機関が発生した駆動力は、動力伝達機構を介して主駆動輪に伝達されると共に、蓄電器から供給された電力により主駆動電動機が発生した駆動力も動力伝達機構の少なくとも一部を介して主駆動輪に伝達される。一方、車両のバネ下に設けられた副駆動電動機は、副駆動輪各輪を夫々駆動する。制御装置は、内燃機関、主駆動電動機、及び副駆動電動機を制御して、電動機走行モード及び内燃機関走行モードを実行する。電動機走行モードにおいて、車両の発進時及び定常走行時には、主駆動電動機のみが駆動力を発生させると共に、車両の減速時には副駆動電動機には電力を回生させる。一方、所定車速以上での車両の加速時には、主駆動電動機及び副駆動電動機が駆動力を発生させる。また、内燃機関走行モードにおいては、内燃機関が駆動力を発生させる一方、主駆動電動機及び副駆動電動機は車両を駆動するための駆動力を発生しない。
【００１１】
このように構成された本発明によれば、内燃機関走行モードにおいては、内燃機関が駆動力を発生し、主駆動電動機及び副駆動電動機は車両を駆動する駆動力を発生しないので、運転者は、ハイブリッド駆動装置を使用しながら、内燃機関により駆動される車両の運転フィーリングを十分に楽しむことができる。また、車両の発進時及び定常走行時においては、低回転数の領域においても比較的大きなトルクが得られる主駆動電動機である永久磁石電動機が駆動力を発生させるので、効率良く車両を駆動することができる。一方、車両の減速時においては、副駆動輪に設けられた副駆動電動機である誘導電動機が電力を回生するので、比較的軽量な誘導電動機によって電力を回生することができ、車両の重量増加を抑制しつつ、エネルギー効率を向上させることができる。
【００１２】
さらに、所定車速以上での車両の加速時には、主駆動電動機による主駆動輪の駆動に加え、副駆動電動機が副駆動輪に駆動力を加えるので、高速で大きな駆動力が要求されるとき、高速回転において比較的大きなトルクが得られる副駆動電動機である誘導電動機により効率良く車両を駆動することができる。即ち、本件発明者が検討を加えた結果、ＷＬＴＰ試験（Worldwide harmonized Light vehicles Test Procedure）による電動機駆動の走行基準は、比較的低出力の電動機で概ねクリアすることができ、ごく一部の走行期間だけ大出力の電動機が必要となることが見出された。そこで本件発明者は、主駆動輪を駆動する電動機には大部分の走行期間における要求を満足できる比較的低出力の永久磁石電動機を主駆動電動機として採用し、高速域において大出力が要求される短い期間のみ高速回転で大きなトルクが得られる誘導電動機を副駆動電動機として使用して副駆動輪を駆動する構成とした。
【００１３】
主駆動輪、副駆動輪を夫々駆動する電動機をこのように使い分けることにより、比較的低出力の電動機で走行基準を満足することが可能になる。各電動機を低出力のものとすることにより、電動機に電力を供給する蓄電器の容量を低く抑え、軽量化することが可能となる。加えて、蓄電器を、走行基準を満足することができる最小限の容量とすることにより、車両全体を更に軽量化することができるので、エネルギー効率を向上させることができ、更なる軽量化が可能になるという善循環が生まれる。なお、走行基準を満足する航続距離が確保されていれば、通常広さの市街地の中を十分に走行することができ、車両の実用性が損なわれることもない。このように、本発明によれば、ハイブリッド駆動装置を搭載した車両として驚異的な軽量化を実現することが可能となる。この結果、内燃機関の駆動力のみで走行する内燃機関走行モードにおいては、ハイブリッド駆動装置を搭載しているにも関わらず内燃機関駆動車両に匹敵する運動性能が得られ、運転フィーリングを十分に楽しむことができる。
【００１４】
本発明において、好ましくは、さらに、副駆動電動機によって回生された電力を蓄積するためのキャパシタを有し、副駆動電動機は常にキャパシタを介して駆動される。
【００１５】
キャパシタは一般に、通常のバッテリよりも瞬間的に大電流を供給することができる。上記のように構成された本発明によれば、所定車速以上での加速時に駆動される副駆動電動機には、キャパシタを介して電力が供給されるので、副駆動電動機は瞬時に高トルクを発生することができ、車両の加速性能を向上させることができる。また、必要な電力の一部がキャパシタから供給されるので蓄電器を更に小型化することができる。
【００１６】
本発明において、好ましくは、キャパシタと蓄電器は直列に接続されていると共に、キャパシタは副駆動輪各輪の間に配置され、副駆動電動機は、主駆動電動機よりも高い電圧で駆動される。
【００１７】
このように構成された本発明によれば、副駆動電動機は、キャパシタを介して主駆動電動機よりも高い電圧で駆動されるので、比較的低電流で副駆動電動機を駆動することができる。また、キャパシタは副駆動輪各輪の間に配置されているので、副駆動電動機に供給する電圧を高くすることによって電力供給系統に高い電気絶縁性が要求されたとしても、必要最低限の距離で電力を供給することができ、絶縁材による重量の増加を低く抑えることができる。
【００１８】
本発明において、好ましくは、副駆動電動機は、副駆動輪各々に内蔵されたインホイール電動機である。
【００１９】
このように構成された本発明によれば、副駆動電動機が副駆動輪各々に内蔵されたインホイール電動機であるため、余分なスペースを占有することなく、副駆動輪を駆動する電動機を配置することができる。
【００２０】
本発明において、好ましくは、副駆動電動機は、変速機を介することなく直接、副駆動輪を駆動するように構成されている。
【００２１】
本発明において、副駆動電動機は所定車速以上での車両の加速時に使用される。このため、副駆動電動機は比較的高回転領域のみで使用されるので、変速機を設けることなく直接、副駆動輪を駆動することができる。このため、副駆動輪の駆動機構を極めて軽量化することが可能になり、車両のエネルギー効率を向上させることができると共に、バネ下重量が軽量化されるので、車両の運動性能を向上させることができる。
【００２２】
本発明において、好ましくは、内燃機関は車両の運転席よりも前方側に配置され、動力伝達機構は内燃機関から、車両の後輪である主駆動輪に動力を伝達するように構成され、キャパシタは内燃機関の直前に配置されると共に、車両の前輪である副駆動輪各輪に設けられた副駆動電動機に電力を供給する。
【００２３】
このように構成された本発明によれば、内燃機関は車両の運転席よりも前方側に配置され、車両の後輪に動力が伝達されるＦＲ形式であり、内燃機関の直前にキャパシタが配置されるので、キャパシタから副駆動電動機に最短距離で電力を供給することができる。また、内燃機関の直前に発火しにくいキャパシタが配置されているので、車両の衝突時における安全性を向上させることができる。
【００２４】
本発明において、好ましくは、内燃機関は、フライホイールを備えないフライホイールレスエンジンである。
【００２５】
本発明においては、車両の発進時には主駆動電動機が駆動力を発生させるので、内燃機関は、専ら内燃機関走行モードにおける比較的高回転領域で駆動力を発生するために利用される。このため、内燃機関としてフライホイールレスエンジンを採用した場合でも滑らかな回転が得られると共に、内燃機関を軽量化することができ、車両のエネルギー効率を更に向上させることができる。加えて、フライホイールレスエンジンを採用することにより、内燃機関走行モードにおける内燃機関の応答性が向上するので、内燃機関により駆動される車両の運転フィーリングを更に向上させることができる。
【００２６】
本発明において、好ましくは、乗員が電動機走行モード及び内燃機関走行モードのいずれかを選択可能な走行モード選択器を更に有し、制御装置は、走行モード選択器により選択された走行モードに基づき、内燃機関、主駆動電動機及び副駆動電動機を制御する。
このように構成された本発明によれば、走行モード選択器の出力に基づき内燃機関及び電動機を制御することで、乗員が選択した走行モードを適切に実現することができる。
【００２７】
他の観点では、上述した課題を解決するために、本発明は、車両を駆動するためのハイブリッド駆動装置であって、車輪に対する駆動力を発生するための内燃機関と、車輪に対する駆動力を発生するための電動機と、乗員が電動機走行モード及び内燃機関走行モードのいずれかを選択可能な走行モード選択器と、走行モード選択器により選択された走行モードに基づき、内燃機関及び電動機を制御する制御装置と、を有し、制御装置は、走行モード選択器により電動機走行モードが選択されたときには、駆動力を発生させるように電動機を制御し、走行モード選択器により内燃機関走行モードが選択されたときには、駆動力を発生させないように電動機を制御するように構成される、ことを特徴としている。
このように構成された本発明によっても、電動機による駆動の強化と車両重量増加の悪循環に陥ることなく、内燃機関により駆動される車両の運転フィーリングを十分に楽しむことができる。
【発明の効果】
【００２８】
本発明のハイブリッド駆動装置によれば、電動機による駆動の強化と車両重量増加の悪循環に陥ることなく、内燃機関により駆動される車両の運転フィーリングを十分に楽しむことができる。
【図面の簡単な説明】
【００２９】
【図１】本発明の実施形態によるハイブリッド駆動装置を搭載した車両のレイアウト図である。
【図２】本発明の実施形態によるハイブリッド駆動装置を搭載した車両の前部を上方から見た透視図である。
【図３】本発明の実施形態によるハイブリッド駆動装置を搭載した車両の前部を側面から見た透視図である。
【図４】図２のiv−iv線に沿う断面図である。
【図５】本発明の実施形態によるハイブリッド駆動装置における各種信号の入出力を示すブロック図である。
【図６】本発明の実施形態によるハイブリッド駆動装置の電源構成を示すブロック図である。
【図７】本発明の実施形態によるハイブリッド駆動装置において、キャパシタに電力が回生された場合における電圧の変化の一例を模式的に示す図である。
【図８】本発明の実施形態によるハイブリッド駆動装置において使用されている各モータの出力と車速の関係を示す図である。
【図９】本発明の実施形態によるハイブリッド駆動装置に採用されている副駆動モータの構造を模式的に示す断面図である。
【図１０】本発明の実施形態によるハイブリッド駆動装置における制御装置による制御のフローチャートである。
【図１１】本発明の実施形態によるハイブリッド駆動装置の各モードにおける動作の一例を示すグラフである。
【図１２】本発明の実施形態によるハイブリッド駆動装置において、トランスミッションをシフトダウン又はシフトアップした場合における車両に作用する加速度の変化を模式的に示す図である。
【図１３】本発明の第１の変形実施形態によるハイブリッド駆動装置を搭載した車両のレイアウト図である。
【図１４】本発明の第２の変形実施形態によるハイブリッド駆動装置を搭載した車両のレイアウト図である。
【図１５】本発明の第３の変形実施形態によるハイブリッド駆動装置を搭載した車両のレイアウト図である。
【発明を実施するための形態】
【００３０】
次に、添付図面を参照して、本発明の好ましい実施形態を説明する。
図１は、本発明の実施形態によるハイブリッド駆動装置を搭載した車両のレイアウト図である。図２は本実施形態のハイブリッド駆動装置を搭載した車両の前部を上方から見た透視図であり、図３は車両の前部を側面から見た透視図である。図４は、図２のiv−iv線に沿う断面図である。
【００３１】
図１に示すように、本発明の実施形態によるハイブリッド駆動装置を搭載した車両１は、運転席よりも前方の、車両の前部に内燃機関であるエンジン１２が搭載され、主駆動輪である左右１対の後輪２ａを駆動する所謂ＦＲ（Front engine, Rear drive）車である。また、後述するように、後輪２ａは主駆動電動機である主駆動モータによっても駆動され、副駆動輪である左右１対の前輪２ｂは、副駆動電動機である副駆動モータによって駆動される。
【００３２】
車両１に搭載された本発明の実施形態によるハイブリッド駆動装置１０は、後輪２ａを駆動するエンジン１２と、後輪２ａに駆動力を伝達する動力伝達機構１４と、後輪２ａを駆動する主駆動モータ１６と、蓄電器であるバッテリ１８と、前輪２ｂを駆動する副駆動モータ２０と、キャパシタ２２と、制御装置２４と、を有する。
【００３３】
エンジン１２は、車両１の主駆動輪である後輪２ａに対する駆動力を発生するための内燃機関である。図２乃至４に示すように、本実施形態においては、エンジン１２として直列４気筒エンジンが採用されており、車両１の前部に配置されたエンジン１２が動力伝達機構１４を介して後輪２ａを駆動するようになっている。また、図４に示すように、本実施形態においては、エンジン１２は、フライホイールを備えていないフライホイールレスエンジンであり、車両１のサブフレーム４ａにエンジンマウント６ａを介して装着されている。さらに、サブフレーム４ａは、フロントサイドフレーム４ｂの下部、及びその後端のダッシュパネル４ｃ下部に締結固定されている。
【００３４】
動力伝達機構１４は、エンジン１２が発生した駆動力を主駆動輪である後輪２ａに伝達するように構成されている。図１乃至図３に示すように、動力伝達機構１４は、エンジン１２に接続されたプロペラシャフト１４ａ、クラッチ１４ｂ、及び有段変速機であるトランスミッション１４ｃを備えている。プロペラシャフト１４ａは、車両１の前部に配置されたエンジン１２から、プロペラシャフトトンネル４ｄ（図２）の中を車両１の後方へ向けて延びている。プロペラシャフト１４ａの後端は、クラッチ１４ｂを介してトランスミッション１４ｃに接続されている。トランスミッション１４ｃの出力軸は後輪２ａの車軸（図示せず）に接続され、後輪２ａを駆動する。
なお、本実施形態において、トランスミッション１４ｃは、所謂トランスアクスル配置である。これにより、エンジン１２の直後の位置に外径の大きな変速機の本体が存在しなくなるので、フロアトンネル（プロペラシャフトトンネル４ｄ）の幅を小さくすることができ、乗員の中央側足元空間を確保して乗員に真正面に正対した左右対称な下半身姿勢をとらせることが可能となる。更に、この乗員の姿勢を確保しつつ主駆動モータ１６の外径や、長さを出力に応じた十分な大きさにすることが容易になる。
【００３５】
主駆動モータ１６は、主駆動輪に対する駆動力を発生するための電動機であり、エンジン１２の後ろ側に、エンジン１２に隣接して配置されている。また、主駆動モータ１６に隣接してインバータ（ＩＮＶ）１６ａが配置されており、このインバータ１６ａにより、バッテリ１８からの電流が交流に変換されて主駆動モータ１６に供給される。さらに、図２及び図３に示すように、主駆動モータ１６はエンジン１２と直列に接続されており、主駆動モータ１６が発生した駆動力も動力伝達機構１４を介して後輪２ａに伝達される。或いは、主駆動モータ１６を動力伝達機構１４の途中に接続し、動力伝達機構１４の一部を介して駆動力が後輪２ａに伝達されるように本発明を構成することもできる。また、本実施形態においては、主駆動モータ１６として、４８Ｖで駆動される２５ｋＷの永久磁石電動機（永久磁石同期電動機）が採用されている。
【００３６】
バッテリ１８は、主として主駆動モータ１６を作動させる電力を蓄積するための蓄電器である。また、図２に示すように、本実施形態においてバッテリ１８は、プロペラシャフト１４ａをカバーするトルクチューブ１４ｄを取り囲むように、プロペラシャフトトンネル４ｄの内部に配置されている。さらに、本実施形態においては、バッテリ１８として、４８Ｖ、３．５ｋＷｈのリチウムイオンバッテリ（ＬＩＢ）が使用されている。
なお、上記のように、本実施形態においてはトランスアクスル配置が採用されているため、これにより生じたフロアトンネル（プロペラシャフトトンネル４ｄ）前方の空間に向けて、バッテリ１８を収容する容積を拡大することができる。これにより、フロアトンネルの幅を大きくして乗員の中央側空間を狭めることなく、バッテリ１８容量の確保、拡大が可能になる。
【００３７】
図４に示すように、副駆動モータ２０は、副駆動輪である前輪２ｂに対する駆動力を発生するように、車両１のバネ下に、前輪２ｂ各輪に設けられている。本実施形態においては、前輪２ｂ各輪はダブルウイッシュボーンタイプのサスペンションで支持され、アッパアーム８ａ、ロアアーム８ｂ、スプリング８ｃ、及びショックアブソーバ８ｄにより懸架されている。また、副駆動モータ２０はインホイールモータであり、前輪２ｂ各輪のホイール内に夫々収容されている。従って、副駆動モータ２０は、車両１の所謂「バネ下」に設けられて前輪２ｂを夫々駆動するように構成されている。また、図１に示すように、各副駆動モータ２０には、キャパシタ（ＣＡＰ）２２からの電流が、各インバータ２０ａにより夫々交流に変換されて供給される。さらに、本実施形態においては、副駆動モータ２０には減速機が設けられておらず、副駆動モータ２０の駆動力は前輪２ｂに直接伝えられる。また、本実施形態においては、各副駆動モータ２０として、１７ｋＷの誘導電動機が夫々採用されている。
【００３８】
キャパシタ（ＣＡＰ）２２は、副駆動モータ２０によって回生された電力を蓄積するように設けられている。図２及び図３に示すように、キャパシタ２２はエンジン１２の直前に配置されると共に、車両１の前輪２ｂ各輪に設けられた副駆動モータ２０に電力を供給する。図４に示すように、キャパシタ２２は、その両側の側面から突出したブラケット２２ａが、キャパシタ用マウント６ｂを介してフロントサイドフレーム４ｂに支持されている。また、副駆動モータ２０からキャパシタ２２へ延びるハーネス２２ｂは、ホイールハウス壁面の側部上端を通ってエンジンルーム内に通されている。さらに、キャパシタ２２は、バッテリ１８よりも高い電圧で電荷を蓄積するように構成されると共に、副駆動輪である左右の前輪２ｂの間の領域内に配置される。主としてキャパシタ２２に蓄積された電力により駆動される副駆動モータ２０は、主駆動モータ１６よりも高い電圧で駆動される。
【００３９】
制御装置２４は、エンジン１２、主駆動モータ１６、及び副駆動モータ２０を制御して、電動機走行モード及び内燃機関走行モードを実行するように構成されている。具体的には、制御装置２４は、マイクロプロセッサ、メモリ、インタフェイス回路、及びこれらを作動させるプログラム（以上、図示せず）等によって構成することができる。制御装置２４による制御の詳細は後述する。
【００４０】
また、図１に示すように、キャパシタ２２の近傍には、電圧変換器である高圧ＤＣ／ＤＣコンバータ２６ａ及び低圧ＤＣ／ＤＣコンバータ２６ｂが夫々配置されている。これらの高圧ＤＣ／ＤＣコンバータ２６ａ、低圧ＤＣ／ＤＣコンバータ２６ｂ、キャパシタ２２、及び２つのインバータ２０ａはユニット化され、統合ユニットを構成している。
【００４１】
次に、図５乃至図８を参照して、本発明の実施形態によるハイブリッド駆動装置１０の全体構成、電源構成、及び各モータによる車両１の駆動を説明する。
図５は、本発明の実施形態によるハイブリッド駆動装置１０における各種信号の入出力を示すブロック図である。図６は、本発明の実施形態によるハイブリッド駆動装置１０の電源構成を示すブロック図である。図７は、本実施形態のハイブリッド駆動装置１０において、キャパシタ２２に電力が回生された場合における電圧の変化の一例を模式的に示す図である。図８は、本実施形態のハイブリッド駆動装置１０において使用されている各モータの出力と車速の関係を示す図である。
【００４２】
まず、本発明の実施形態によるハイブリッド駆動装置１０における各種信号の入出力を説明する。図５に示すように、制御装置２４には、モード選択スイッチ４０（走行モード選択器）、車速センサ４２、アクセル開度センサ４４、ブレーキセンサ４６、エンジン回転数センサ４８、自動変速機（ＡＴ）入力回転センサ５０、自動変速機（ＡＴ）出力回転センサ５２、電圧センサ５４、及び電流センサ５６によって検出された検出信号が夫々入力される。また、制御装置２４は、主駆動モータ用のインバータ１６ａ、副駆動モータ２０用のインバータ２０ａ、高圧ＤＣ／ＤＣコンバータ２６ａ、低圧ＤＣ／ＤＣコンバータ２６ｂ、燃料噴射弁５８、点火プラグ６０、及びトランスミッション１４ｃの油圧ソレノイド弁６２に制御信号を夫々送り、これらを制御するように構成されている。
【００４３】
次に、本発明の実施形態によるハイブリッド駆動装置１０の電源構成を説明する。図６に示すように、ハイブリッド駆動装置１０に備えられているバッテリ１８とキャパシタ２２は直列に接続されている。主駆動モータ１６はバッテリ１８の基準出力電圧である約４８Ｖで駆動され、副駆動モータ２０はバッテリ１８の出力電圧とキャパシタ２２の端子間電圧を合算した４８Ｖよりも高い、最大１２０Ｖの電圧で駆動される。このため、副駆動モータ２０は、常にキャパシタ２２を介して供給された電力によって駆動される。
【００４４】
また、主駆動モータ１６にはインバータ１６ａが取り付けられており、バッテリ１８の出力を交流に変換した上で永久磁石電動機である主駆動モータ１６が駆動される。同様に、各副駆動モータ２０にはインバータ２０ａが夫々取り付けられており、バッテリ１８及びキャパシタ２２の出力を交流に変換した上で誘導電動機である副駆動モータ２０が駆動される。なお、副駆動モータ２０は、主駆動モータ１６よりも高い電圧で駆動されるため、副駆動モータ２０に電力を供給するハーネス（電線）２２ｂには高い絶縁性が要求される。しかしながら、各副駆動モータ２０に近接してキャパシタ２２が配置されているため、ハーネス２２ｂの絶縁性を高くすることによる重量の増加を最小限に抑えることができる。
【００４５】
さらに、車両１の減速時等には、主駆動モータ１６及び各副駆動モータ２０は発電機として機能し、車両１の運動エネルギーを回生して電力を生成する。主駆動モータ１６によって回生された電力はバッテリ１８に蓄積され、各副駆動モータ２０によって回生された電力は主としてキャパシタ２２に蓄積される。
【００４６】
また、バッテリ１８とキャパシタ２２の間には電圧変換器である高圧ＤＣ／ＤＣコンバータ２６ａが接続されており、この高圧ＤＣ／ＤＣコンバータ２６ａはキャパシタ２２に蓄積された電荷が不足しているとき（キャパシタ２２の端子間電圧が低下したとき）、バッテリ１８の電圧を昇圧してキャパシタ２２に充電する。一方、各副駆動モータ２０によるエネルギーの回生により、キャパシタ２２の端子間電圧が所定電圧以上に上昇した場合には、キャパシタ２２に蓄積された電荷を降圧してバッテリ１８に印加し、バッテリ１８の充電を行う。即ち、副駆動モータ２０によって回生された電力はキャパシタ２２に蓄積された後、蓄積された電荷の一部が、高圧ＤＣ／ＤＣコンバータ２６ａを介してバッテリ１８に充電される
【００４７】
さらに、バッテリ１８と車両１の１２Ｖ電装品の間には、低圧ＤＣ／ＤＣコンバータ２６ｂが接続されている。ハイブリッド駆動装置１０の制御装置２４や、車両１の電装品の多くは１２Ｖの電圧で作動するので、バッテリ１８に蓄積された電荷を低圧ＤＣ／ＤＣコンバータ２６ｂにより１２Ｖに降圧して、これらの機器に供給する。
【００４８】
次に、図７を参照して、キャパシタ２２に対する充電及び放電を説明する。
図７に示すように、キャパシタ２２の電圧は、バッテリ１８によるベース電圧と、キャパシタ２２自体の端子間電圧の合計となる。車両１の減速時等には、各副駆動モータ２０により電力の回生が行われ、回生された電力はキャパシタ２２に充電される。キャパシタ２２への充電が行われると比較的急激に端子間電圧が上昇する。充電によりキャパシタ２２の電圧が所定電圧以上に上昇すると、高圧ＤＣ／ＤＣコンバータ２６ａによりキャパシタ２２の電圧が降圧され、バッテリ１８への充電が行われる。図７に示すように、このキャパシタ２２からバッテリ１８への充電は、キャパシタ２２への充電よりも比較的緩やかに行われ、キャパシタ２２の電圧は適正電圧まで比較的緩やかに低下される。
【００４９】
即ち、各副駆動モータ２０により回生された電力は一時的にキャパシタ２２に蓄積され、その後、バッテリ１８へ緩やかに充電される。なお、回生が行われる期間によっては、各副駆動モータ２０による電力の回生と、キャパシタ２２からバッテリ１８への充電がオーバーラップして行われる場合もある。
一方、主駆動モータ１６によって回生された電力は、バッテリ１８に直接充電される。
【００５０】
次に、図８を参照して、本発明の実施形態によるハイブリッド駆動装置１０における車速と各モータの出力の関係を説明する。図８は、本実施形態のハイブリッド駆動装置１０において、車両１の速度と、各速度における各モータの出力の関係を示すグラフである。図８において、主駆動モータ１６の出力を破線で示し、１つの副駆動モータ２０の出力を一点鎖線で、２つの副駆動モータ２０の出力の合計を二点鎖線で、全てのモータの出力の合計を実線で示している。
【００５１】
本実施形態においては主駆動モータ１６には永久磁石電動機が採用されているため、図８に破線で示すように、モータ回転数が低い低車速域で主駆動モータ１６の出力が大きく、車速が速くなるにつれて出力可能なモータ出力が減少する。即ち、本実施形態において、主駆動モータ１６は、約４８Ｖで駆動され、１０００ｒｐｍ程度まで最大トルクである約２００Ｎｍのトルクを出力し、約１０００ｒｐｍ以上で回転数の増加と共にトルクが低下する。また、本実施形態において、主駆動モータ１６は、最低速域において約２０ｋＷ程度の連続出力が得られ、最大出力約２５ｋＷが得られるように構成されている。
【００５２】
これに対して、副駆動モータ２０には誘導電動機が採用されているため、図８に一点鎖線及び二点鎖線で示すように、低車速域では副駆動モータ２０の出力は極めて小さく、車速が速くなるにつれて出力が増大し、車速約１３０ｋｍ／ｈ付近で最大出力が得られた後、モータ出力は減少する。本実施形態において、副駆動モータ２０は、約１２０Ｖで駆動され、車速約１３０ｋｍ／ｈ付近で１台当たり約１７ｋＷ、２台合計で約３４ｋＷの出力が得られるように構成されている。即ち、本実施形態において、副駆動モータ２０は、約６００乃至８００ｒｐｍでトルクカーブがピークをもち、最大トルク約２００Ｎｍが得られる。
【００５３】
図８の実線には、これら主駆動モータ１６及び２台の副駆動モータ２０の出力の合計が示されている。このグラフから明らかなように、本実施形態においては、車速約１３０ｋｍ／ｈ付近で最大出力約５３ｋＷが得られており、この車速における、この最大出力でＷＬＴＰ試験において要求される走行条件を満足することができる。なお、図８の実線では、低車速域においても２台の副駆動モータ２０の出力値が合算されているが、後述するように、実際には低車速域では各副駆動モータ２０が駆動されることはない。即ち、発進時及び低車速域においては主駆動モータ１６のみで車両が駆動され、高車速域で大出力が必要とされたとき（高車速域で車両１を加速させるとき等）のみ２台の副駆動モータ２０が出力を発生する。このように、高回転領域で大きな出力を発生することができる誘導電動機（副駆動モータ２０）を、高速域のみで使用することにより、車両重量の増加を低く抑えながら必要なとき（所定速度以上での加速時等）に十分な出力を得ることができる。
【００５４】
次に、図９を参照して、本発明の実施形態のハイブリッド駆動装置１０に採用されている副駆動モータ２０の構成を説明する。図９は、副駆動モータ２０の構造を模式的に示す断面図である。
図９に示すように、副駆動モータ２０は、ステータ２８と、このステータの周囲で回転するロータ３０から構成されたアウターロータタイプの誘導電動機である。
【００５５】
ステータ２８は、概ね円板状のステータベース２８ａと、このステータベース２８ａの中心から延びるステータシャフト２８ｂと、このステータシャフト２８ｂの周囲に取り付けられたステータコイル２８ｃと、を有する。また、ステータコイル２８ｃは電気絶縁液室３２に収納されており、この中に満たされた電気絶縁液３２ａに浸漬され、これにより沸騰冷却される。
【００５６】
ロータ３０は、ステータ２８の周囲を取り囲むように概ね円筒状に構成されており、一端が閉塞された概ね円筒形に構成されたロータ本体３０ａと、ロータ本体３０ａの内周壁面に配置されたロータコイル３０ｂと、を有する。ロータコイル３０ｂは、ステータコイル２８ｃが生成する回転磁界により誘導電流が発生するように、ステータコイル２８ｃに対向するように配置されている。また、ロータ３０は、ステータ２８の周囲で円滑に回転するように、ステータシャフト２８ｂの先端に取り付けられたベアリング３４によって支持されている。
【００５７】
ステータベース２８ａは、車両１の前輪を懸架するアッパアーム８ａ及びロアアーム８ｂ（図４）によって支持されている。一方、ロータ本体３０ａは、前輪２ｂのホイール（図示せず）に直接固定されている。ステータコイル２８ｃには、インバータ２０ａによって交流に変換された交流電流が流され、回転磁界が生成される。この回転磁界によりロータコイル３０ｂに誘導電流が流れ、ロータ本体３０ａを回転させる駆動力が発生する。このように、各副駆動モータ２０による生成された駆動力は、直接、各前輪２ｂのホイール（図示せず）を回転駆動する。
【００５８】
次に、図１０及び図１１を参照して、制御装置２４により実行される電動機走行モード及び内燃機関走行モードの動作を説明する。図１０は、制御装置２４による制御のフローチャートであり、図１１は、各モードにおける動作の一例を示すグラフである。なお、図１０に示すフローチャートは、車両１の作動中、所定の時間間隔で繰り返し実行される。
【００５９】
図１１に示すグラフは、上段から順に、車両１の速度、エンジン１２が発生するトルク、主駆動モータ１６が発生するトルク、副駆動モータ２０が発生するトルク、キャパシタ２２の電圧、キャパシタ２２電流、及びバッテリ１８電流を示している。なお、主駆動モータ１６のトルク、及び副駆動モータ２０のトルクを示すグラフにおいて、正の値は各モータがトルクを発生している状態を意味し、負の値は各モータが車両１の運動エネルギーを回生している状態を意味する。また、キャパシタ２２電流、及びバッテリ１８電流を示すグラフにおいて、負の値は各モータに電力を供給（放電）している状態を意味し、正の値は各モータにおいて回生された電力を充電している状態を意味する。
【００６０】
まず、図１０のステップＳ１においては、車両１が内燃機関走行モード（ＥＮＧモード）に設定されているか否かが判断される。即ち、車両１には内燃機関走行モードか、電動機走行モード（ＥＶモード）の何れかを選択するモード選択スイッチ４０（図５）が備えられており、ステップＳ１においては、どちらのモードに設定されているかが判断される。図１１の時刻ｔ1においては、電動機走行モードに設定されているため、図１０のフローチャートにおける処理はステップＳ２に移行する。
【００６１】
次に、ステップＳ２においては、車両１が所定車速以上であるか否かが判断され、所定車速以上である場合にはステップＳ６に進み、所定車速未満である場合にはステップＳ３に進む。図１１の時刻ｔ1においては、運転者が車両１を発進させており、車速が低いためフローチャートにおける処理はステップＳ３に移行する。
【００６２】
さらに、ステップＳ３においては、車両１が減速されているか（車両１のブレーキペダル（図示せず）が操作されているか）否かが判断され、減速されている場合にはステップＳ５に進み、加速又は定速走行中である（ブレーキセンサ４６（図５）によりブレーキペダル（図示せず）の操作が検出されていない）場合にはステップＳ４に進む。図１１の時刻ｔ1においては、運転者が車両１を発進させ、加速している（アクセル開度センサ４４（図５）により、車両１のアクセルペダルの所定量以上の操作が検出されている）のでフローチャートにおける処理はステップＳ４に移行して、図１０のフローチャートによる１回の処理が終了する。ステップＳ４においては、主駆動モータ１６がトルクを発生し、車速が上昇する（図１１の時刻ｔ1〜ｔ2）。この際、主駆動モータ１６に電力を供給するバッテリ１８から放電電流が流れる一方、副駆動モータ２０はトルクを発生させないため、キャパシタ２２からの放電電流はゼロのままであり、キャパシタ２２の電圧も変化しない。これらの電流、電圧は、電圧センサ５４及び電流センサ５６（図５）によって検出され、制御装置２４に入力される。また、図１１の時刻ｔ1〜ｔ2では、電動機走行モードに設定されているため、エンジン１２は駆動されない。即ち、制御装置２４がエンジン１２の燃料噴射弁５８による燃料噴射を停止させ、点火プラグ６０による点火を行わないため、エンジン１２はトルクを発生しない。
【００６３】
図１１に示す例では、時刻ｔ1〜ｔ2の間、車両１を加速させた後、時刻ｔ3まで車両１は定速走行されている。この間、図１０のフローチャートによる処理は、ステップＳ１→Ｓ２→Ｓ３→Ｓ４の処理が繰り返し実行される。この低速走行中は、主駆動モータ１６が発生するトルクが加速中よりも小さくなるため、バッテリ１８から放電される電流も小さくなる。
【００６４】
次に、図１１の時刻ｔ3において、運転者が車両１のブレーキペダル（図示せず）を操作すると、図１０のフローチャートにおける処理は、ステップＳ３→Ｓ５に移行するようになる。ステップＳ５においては、主駆動モータ１６による駆動が停止（トルクを発生しない）されると共に、副駆動モータ２０により、車両１の運動エネルギーが電力として回生される。運動エネルギーの回生により車両１は減速され、バッテリ１８からの放電電流がゼロとなる一方、副駆動モータ２０による電力の回生により、キャパシタ２２に充電電流が流れ、キャパシタ２２の電圧が上昇する。
【００６５】
図１１の時刻ｔ4において、車両１が停止すると、キャパシタ２２への充電電流がゼロとなり、キャパシタ２２の電圧も一定になる。次いで、時刻ｔ5において再び車両１が発進され、定速走行に至った（時刻ｔ6）後、車両１の減速が開始（時刻ｔ7）されるまでは、図１０のフローチャートにおいて、ステップＳ１→Ｓ２→Ｓ３→Ｓ４の処理が繰り返し実行される。時刻ｔ7において車両の減速が開始されると、図１０のフローチャートにおいてはステップＳ１→Ｓ２→Ｓ３→Ｓ５の処理が繰り返し実行され、副駆動モータ２０による電力の回生が行われる。このように、市街地の中などで比較的低速で発進、停止が繰り返される間は、電動機走行モードに設定され、車両１は純粋に電気自動車（ＥＶ）として機能し、エンジン１２はトルクを発生しない。
【００６６】
さらに、図１１の時刻ｔ8において車両１が発進されると、図１０のフローチャートにおいてはステップＳ１→Ｓ２→Ｓ３→Ｓ４の処理が繰り返し実行され、車両１が加速される。次いで、時刻ｔ9において、車速センサ４２（図５）によって検出された車両１の速度が所定の車速を超えると、フローチャートにおける処理は、ステップＳ２→Ｓ６に移行するようになる。ステップＳ６においては、車両１が減速しているか（ブレーキペダルを操作しているか）否かが判断される。時刻ｔ9において車両１は減速していないため、フローチャートにおける処理はステップＳ７に進む。ステップＳ７においては、車両１が所定値以上加速されているか（車両１のアクセルペダルが所定量以上操作されているか）否かが判断される。
【００６７】
図１１に示す例においては、時刻ｔ9において車両１が所定値以上加速されているため、ステップＳ８に進み、ここでは主駆動モータ１６が駆動されると共に、副駆動モータ２０も駆動される。このように、電動機走行モードにおいて、所定値以上の車速で、所定値以上の加速が行われると、必要な動力を得るために主駆動モータ１６及び副駆動モータ２０に電力が供給され、これらによって車両１が駆動される。この際、主駆動モータ１６にはバッテリ１８から電力が供給され、副駆動モータ２０にはキャパシタ２２から電力が供給される。このようにキャパシタ２２から電力が供給されることにより、キャパシタ２２の電圧は低下する。主駆動モータ１６及び副駆動モータ２０により車両１が駆動されている間（時刻ｔ9〜ｔ10）、フローチャートにおいては、ステップＳ１→Ｓ２→Ｓ６→Ｓ７→Ｓ８の処理が繰り返し実行される。
【００６８】
図１１の時刻ｔ10において、車両１が定速走行に移行する（アクセルペダルの操作が所定量未満になる）と、フローチャートにおいては、ステップＳ１→Ｓ２→Ｓ６→Ｓ７→Ｓ９の処理が繰り返し実行されるようになる。ステップＳ９においては、副駆動モータ２０による駆動が停止され（トルクを発生しなくなる）、主駆動モータ１６のみによって車両１が駆動される。このように、車両１が所定車速以上で走行している状態であっても、所定量以上の加速が行われていない状態では、主駆動モータ１６のみにより車両１が駆動される。
【００６９】
また、時刻ｔ9〜ｔ10の間の副駆動モータ２０の駆動により、キャパシタ２２の電圧が所定値以下に低下したため、時刻ｔ10において制御装置２４は高圧ＤＣ／ＤＣコンバータ２６ａに信号を送り、キャパシタ２２への充電を行う。即ち、高圧ＤＣ／ＤＣコンバータ２６ａは、バッテリ１８に蓄積されている電荷を昇圧してキャパシタ２２に充電を行う。これにより、図１１の時刻ｔ10〜ｔ11においては、主駆動モータ１６を駆動するための電流及びキャパシタ２２を充電するための電流が、バッテリ１８から放電される。なお、副駆動モータ２０により大きな電力が回生され、キャパシタ２２の電圧が所定値以上に上昇した場合には、制御装置２４は高圧ＤＣ／ＤＣコンバータ２６ａに信号を送り、キャパシタ２２の電圧を降圧してバッテリ１８への充電を行う。このように、副駆動モータ２０により回生された電力は、副駆動モータ２０によって消費されるか、又はキャパシタ２２に一旦蓄積された後、高圧ＤＣ／ＤＣコンバータ２６ａを介してバッテリ１８に充電される。
【００７０】
図１１の時刻ｔ11において、車両１が減速する（ブレーキペダルが操作される）と、フローチャートにおいては、ステップＳ１→Ｓ２→Ｓ６→Ｓ１０の処理が繰り返し実行されるようになる。ステップＳ１０においては、主駆動モータ１６及び副駆動モータ２０の両方で車両１の運動エネルギーが電力として回生される。主駆動モータ１６によって回生された電力はバッテリ１８へ蓄積され、副駆動モータ２０によって回生された電力はキャパシタ２２に蓄積される。このように、所定車速以上でブレーキペダルが操作された場合には、主駆動モータ１６及び副駆動モータ２０の両方で電力の回生が行われ、バッテリ１８及びキャパシタ２２に電荷が蓄積される。
【００７１】
次に、図１１の時刻ｔ12において、運転者によってモード選択スイッチ４０（図５）が操作され、車両１が電動機走行モードから内燃機関走行モードに切り替えられると共に、アクセルペダル（図示せず）が踏み込まれる。車両１が内燃機関走行モードに切り替えられると、制御装置２４における図１０のフローチャートの処理はステップＳ１→Ｓ１１に移行するようになり、ステップＳ１１以下の処理が実行されるようになる。
【００７２】
まず、ステップＳ１１においては、車両１が停車しているか否かが判断され、停車していない場合（走行している場合）には、ステップＳ１２において、車両１が減速中であるか否か（ブレーキペダル（図示せず）が操作されているか否か）が判断される。図１１の時刻ｔ12においては、車両１が走行中であり、運転者がアクセルペダルを操作しているので、図１０のフローチャートにおける処理はステップＳ１３に移行する。
【００７３】
ステップＳ１３においては、エンジン１２への燃料の供給が開始され、エンジン１２がトルクを発生するようになる。即ち、本実施形態においては、エンジン１２の出力軸（図示せず）は主駆動モータ１６の出力軸（図示せず）と直結されているため、エンジン１２の出力軸は常に主駆動モータ１６の駆動と共に回転されている。しかしながら、電動機走行モードにおいては、エンジン１２への燃料供給が行われないためエンジン１２はトルクを発生しておらず、内燃機関走行モードにおいて燃料供給（燃料噴射弁５８による燃料の噴射及び点火プラグ６０による点火）が開始されることによりトルクを発生するようになる。
【００７４】
また、電動機走行モードから内燃機関走行モードに切り替えられた直後は、制御装置２４は、主駆動モータ１６によりエンジン始動用のトルクを発生させる（図１１の時刻ｔ12〜ｔ13）。このエンジン始動用のトルクは、エンジン１２への燃料供給が開始された後、エンジン１２が実際にトルクを発生するようになるまでの間、車両１を走行させると共に、エンジン１２がトルクを発生する前後のトルクムラを抑制するために発生される。また、本実施形態においては、内燃機関走行モードに切り替えられた時点におけるエンジン１２の回転数が所定回転数未満の場合にはエンジン１２への燃料供給は開始されず、エンジン始動用のトルクによりエンジン１２が所定回転数以上になった時点で燃料供給が開始される。本実施形態においては、エンジン回転数センサ４８によって検出されたエンジン１２の回転数が２０００ｒｐｍ以上に上昇したとき、燃料供給が開始される。
【００７５】
エンジン１２が始動された後、車両１が加速又は定速走行している間は、図１０のフローチャートにおいては、ステップＳ１→Ｓ１１→Ｓ１２→Ｓ１３の処理が繰り返し実行される（図１１の時刻ｔ13〜ｔ14）。このように、内燃機関走行モードにおいては、車両１を駆動するための動力は専らエンジン１２から出力され、主駆動モータ１６及び副駆動モータ２０が車両１を駆動するための動力を出力することはない。このため、運転者は、内燃機関により駆動される車両１の運転フィーリングを楽しむことができる。
【００７６】
次いで、図１１の時刻ｔ14において、運転者がブレーキペダル（図示せず）を操作すると、図１０のフローチャートにおける処理は、ステップＳ１２→Ｓ１４に移行するようになる。ステップＳ１４においては、エンジン１２への燃料供給が停止され、燃料の消費が抑制される。さらに、ステップＳ１５においては、主駆動モータ１６及び副駆動モータ２０により、車両１の運動エネルギーが電気エネルギーとして回生され、バッテリ１８及びキャパシタ２２に夫々充電電流が流れる。このように、車両１の減速中においては、ステップＳ１→Ｓ１１→Ｓ１２→Ｓ１４→Ｓ１５の処理が繰り返し実行される（図１１の時刻ｔ14〜ｔ15）。
【００７７】
なお、内燃機関走行モードにおける車両１の減速中において、制御装置２４は、有段変速機であるトランスミッション１４ｃの切り替え時（変速時）に、副駆動モータ２０を駆動してダウンシフトトルク調整を実行する。このトルク調整トにより発生されるトルクは瞬間的なトルク抜け等を補完するものであり、車両１を駆動するトルクには該当しない。トルク調整の詳細については後述する。
【００７８】
一方、図１１の時刻ｔ15において、車両１が停止すると、図１０のフローチャートにおける処理は、ステップＳ１１→Ｓ１６に移行するようになる。ステップＳ１６において、制御装置２４は、エンジン１２のアイドリングを維持するために必要な最小限の燃料を供給する。また、制御装置２４は、エンジン１２が低回転数でアイドリングを維持できるよう、主駆動モータ１６によりアシストトルクを発生させる。このように、車両１の停車中においては、ステップＳ１→Ｓ１１→Ｓ１６の処理が繰り返し実行される（図１１の時刻ｔ15〜ｔ16）。
【００７９】
本実施形態においては、エンジン１２はフライホイールレスエンジンであるが、主駆動モータ１６が発生するアシストトルクが擬似的なフライホイールとして作用し、エンジン１２は低回転数で滑らかなアイドリングを維持することができる。また、フライホイールレスエンジンを採用することにより、内燃機関走行モードの走行中には、エンジン１２の高い応答性が得られ、フィーリングの良い運転を楽しむことができる。
【００８０】
また、内燃機関走行モードにおいて車両１が停車している状態から発進する場合には、制御装置２４は主駆動モータ１６に信号を送り、主駆動モータ１６の回転数（＝エンジン１２の回転数）を所定回転数まで上昇させる。エンジン回転数が所定回転数まで上昇した後、制御装置２４は、エンジン１２にエンジン駆動用の燃料を供給して、エンジン１２による駆動を発生させ、内燃機関走行モードによる走行が行なわれる。
【００８１】
次に、図１２を参照して、トランスミッション１４ｃの切り替え時（変速時）におけるトルク調整を説明する。
図１２は、トランスミッション１４ｃをシフトダウン又はシフトアップした場合において、車両に作用する加速度の変化を模式的に示す図であり、上段から順にダウンシフトトルクダウン、ダウンシフトトルクアシスト、アップシフトトルクアシストの一例を夫々示している。
【００８２】
本発明の実施形態によるハイブリッド駆動装置１０は、内燃機関走行モードにおいて、自動変速モードに設定されている場合には、車速やエンジン回転数に応じて、制御装置２４がクラッチ１４ｂ及びトランスミッション１４ｃを自動的に切り替えるように構成されている。図１２の上段に示すように、減速時に車両１に負の加速度が作用している状態で、トランスミッション１４ｃのシフトダウン（低速側に変速）を行う際（図１２の時刻ｔ101）、制御装置２４はクラッチ１４ｂを切り離し、エンジン１２の出力軸と主駆動輪（後輪２ａ）が切り離される。このように、エンジン１２が主駆動輪から切り離されると、エンジン１２の回転抵抗が主駆動輪に作用しなくなるので、図１２上段の破線に示すように、車両１に作用する加速度は瞬間的に正の側に変化する。次いで、制御装置２４はトランスミッション１４ｃに制御信号を送り、内蔵されている油圧ソレノイド弁６２（図５）を切り替えてトランスミッション１４ｃの減速比を上げる。さらに、シフトダウン完了時の時刻ｔ102において制御装置２４がクラッチ１４ｂを接続すると加速度は再び負の側に変化する。一般に、シフトダウン開始から完了までの期間（時刻ｔ101〜ｔ102）は３００〜１０００ｍｓｅｃであるが、車両に作用するトルクが瞬間的に変化する所謂トルクショックにより、乗員に空走感が与えられ、不快感を与えてしまうことがある。
【００８３】
本実施形態のハイブリッド駆動装置１０においては、制御装置２４は、シフトダウン時において副駆動モータ２０に制御信号を送ってトルク調整を行い、車両１の空走感を抑制する。具体的には、制御装置２４がクラッチ１４ｂ及びトランスミッション１４ｃに信号を送ってシフトダウンを行う際、制御装置２４には、自動変速機入力回転センサ５０及び自動変速機出力回転センサ５２（図５）によって夫々検出されたトランスミッション１４ｃの入力軸及び出力軸の回転数が読み込まれる。さらに、読み込んだ入力軸及び出力軸の回転数に基づいて、車両１に発生する加速度の変化を予測し、副駆動モータ２０にエネルギーの回生を実行させる。これにより、図１２上段の実線に示すように、トルクショックによる車両１の加速度の瞬間的な上昇（正側への変化）が抑制され、空走感を抑制することができる。また、本実施形態においては、シフトダウンに伴う主駆動輪（後輪２ａ）におけるトルクショックを、副駆動モータ２０により副駆動輪（前輪２ｂ）で補完している。このため、エンジン１２から主駆動輪に動力を伝達する動力伝達機構１４の動特性の影響を受けることなくトルク調整を行うことができる。
【００８４】
また、図１２中段の破線に示すように、加速時に車両１に正の加速度が作用している状態で、時刻ｔ103においてシフトダウンが開始されると、エンジン１２の出力軸と主駆動輪（後輪２ａ）が切り離される。これにより、エンジン１２による駆動トルクが後輪２ａに作用しなくなり、トルクショックが発生するので、時刻ｔ104においてシフトダウンが完了するまでの間に乗員に失速感が与えられる場合がある。即ち、シフトダウンが開始される時刻ｔ103において瞬間的に車両１の加速度が負の側に変化し、シフトダウンが完了する時刻ｔ104において加速度が正の側に変化する。
【００８５】
本実施形態のハイブリッド駆動装置１０において、制御装置２４はシフトダウンを行う際、自動変速機入力回転センサ５０及び自動変速機出力回転センサ５２の検出信号に基づいて、車両１に発生する加速度の変化を予測し、副駆動モータ２０に駆動力を発生させる。これにより、図１２中段の実線に示すように、トルクショックによる車両１の加速度の瞬間的な低下（負側への変化）が抑制され、失速感が抑制される。
【００８６】
さらに、図１２下段の破線に示すように、加速時に車両１に正の加速度が作用している状態（正の加速度は時間と共に低下している）で、時刻ｔ105においてシフトアップが開始されると、エンジン１２の出力軸と主駆動輪（後輪２ａ）が切り離される。これにより、エンジン１２による駆動トルクが後輪２ａに作用しなくなり、トルクショックが発生するので、時刻ｔ106においてシフトアップが完了するまでの間に乗員に失速感が与えられる場合がある。即ち、シフトアップが開始される時刻ｔ105において瞬間的に車両１の加速度が負の側に変化し、シフトアップが完了する時刻ｔ106において加速度が正の側に変化する。
【００８７】
本実施形態において、制御装置２４はシフトアップを行う際、自動変速機入力回転センサ５０及び自動変速機出力回転センサ５２の検出信号に基づいて、車両１に発生する加速度の変化を予測し、副駆動モータ２０に駆動力を発生させる。これにより、図１２下段の実線に示すように、トルクショックによる車両１の加速度の瞬間的な低下（負側への変化）が抑制され、失速感が抑制される。
【００８８】
上記のように、トランスミッション１４ｃのシフトダウン又はシフトアップ時における副駆動モータ２０による駆動トルクの調整は、ごく短時間に行われるものであり、実質的に車両１を駆動するものではない。このため、副駆動モータ２０が発生する動力は、副駆動モータ２０によって回生され、キャパシタ２２に蓄積された電荷によって生成することができる。また、副駆動モータ２０による駆動トルクの調整は、トルクコンバータ付きの自動変速機や、トルクコンバータの無い自動変速機、自動化したマニュアルトランスミッション等に適用することができる。
【００８９】
本発明の実施形態のハイブリッド駆動装置１０によれば、内燃機関走行モード（図１１の時刻ｔ12〜）においては、エンジン１２が駆動力を発生し、主駆動モータ１６及び副駆動モータ２０は車両１を駆動する駆動力を発生しないので、運転者は、ハイブリッド駆動装置１０を使用しながら、内燃機関により駆動される車両１の運転フィーリングを十分に楽しむことができる。また、車両１の発進時及び定常走行時（図１１の時刻ｔ1〜ｔ3、ｔ5〜ｔ7）においては、低回転数の領域においても比較的大きなトルクが得られる主駆動モータ１６である永久磁石電動機が駆動力を発生させる（図８）ので、効率良く車両１を駆動することができる。一方、車両１の減速時（図１１の時刻ｔ3〜ｔ4、ｔ7〜等）においては、前輪２ｂ（副駆動輪）に設けられた副駆動モータ２０である誘導電動機が電力を回生するので、比較的軽量な誘導電動機によって電力を回生することができ、車両１の重量増加を抑制しつつ、エネルギー効率を向上させることができる。
【００９０】
さらに、所定車速以上での車両の加速時（図１１の時刻ｔ9〜ｔ10）には、主駆動モータ１６による後輪２ａ（主駆動輪）の駆動に加え、副駆動モータ２０が前輪２ｂに駆動力を加えるので、高速で大きな駆動力が要求されるとき、高速回転において比較的大きなトルクが得られる副駆動モータ２０である誘導電動機により効率良く車両を駆動することができる（図８）。
【００９１】
また、本実施形態のハイブリッド駆動装置１０によれば、所定車速以上での加速時（図１１の時刻ｔ9〜ｔ10）に駆動される副駆動モータ２０には、キャパシタ２２を介して電力が供給されるので、副駆動モータは瞬時に高トルクを発生することができ、車両１の加速性能を向上させることができる。また、必要な電力の一部がキャパシタ２２から供給されるのでバッテリ１８を更に小型化することができる。
【００９２】
さらに、本実施形態のハイブリッド駆動装置１０によれば、副駆動モータ２０は、キャパシタ２２を介して主駆動モータ１６よりも高い電圧で駆動されるので（図６）、比較的低電流で副駆動モータ２０を駆動することができる。また、キャパシタ２２は前輪２ｂ各輪の間に配置されているので、副駆動モータ２０に供給する電圧を高くすることによってハーネス２２ｂ（図４）に高い電気絶縁性が要求されたとしても、必要最低限の距離で電力を供給することができ、絶縁材による重量の増加を低く抑えることができる。
【００９３】
また、本実施形態のハイブリッド駆動装置１０によれば、副駆動モータ２０が前輪２ｂ各々に内蔵されたインホイール電動機であるため（図４）、余分なスペースを占有することなく、前輪２ｂを駆動するモータを配置することができる。
【００９４】
さらに、本実施形態のハイブリッド駆動装置１０によれば、副駆動モータ２０は所定車速以上での車両１の加速時（図１１の時刻ｔ9〜ｔ10）に使用される。このため、副駆動モータ２０は比較的高回転領域のみで使用されるので、変速機を設けることなく直接、副駆動輪を駆動することができる（図４）。このため、前輪２ｂの駆動機構を極めて軽量化することが可能になり、車両１のエネルギー効率を向上させることができると共に、バネ下重量が軽量化されるので、車両の運動性能を向上させることができる。
【００９５】
また、本実施形態のハイブリッド駆動装置１０によれば、エンジン１２は車両の運転席よりも前方側に配置され、車両１の後輪２ａに動力が伝達されるＦＲ形式であり、エンジン１２の直前にキャパシタ２２が配置されるので（図２、図３）、キャパシタ２２から副駆動モータ２０に最短距離で電力を供給することができる（図４）。また、エンジン１２の直前に発火しにくいキャパシタ２２が配置されているので、車両１の衝突時における安全性を向上させることができる。
【００９６】
さらに、本実施形態のハイブリッド駆動装置１０によれば、車両１の発進時には主駆動モータ１６が駆動力を発生させるので、エンジン１２は、専ら内燃機関走行モードにおける比較的高回転領域で駆動力を発生するために利用される。このため、エンジン１２としてフライホイールレスエンジンを採用した場合でも滑らかな回転が得られると共に、エンジン１２を軽量化することができ、車両１のエネルギー効率を更に向上させることができる。加えて、フライホイールレスエンジンを採用することにより、内燃機関走行モードにおけるエンジン１２の応答性が向上するので、エンジン１２により駆動される車両の運転フィーリングを更に向上させることができる。
【００９７】
以上、本発明の好ましい実施形態を説明したが、上述した実施形態に種々の変更を加えることができる。特に、上述した実施形態においては、本発明のハイブリッド駆動装置をＦＲ車に適用していたが、車両の前方部分にエンジン及び／又は主駆動モータを配置して前輪を主駆動輪とする所謂ＦＦ車や、車両の後方部分にエンジン及び／又は主駆動モータを配置して後輪を主駆動輪とする所謂ＲＲ車等、様々なタイプの車両に本発明を適用することができる。
【００９８】
本発明をＦＦ車に適用する場合には、例えば、図１３に示すように、車両１０１の前方部分にエンジン１２、主駆動モータ１６、及びトランスミッション１４ｃを配置して、主駆動輪として前輪１０２ａを駆動するようにレイアウトすることができる。また、副駆動モータ２０をインホイールモータとして、副駆動輪である左右の後輪１０２ｂに配置することができる。このように、車体側モータである主駆動モータ１６により、主駆動輪である前輪１０２ａを駆動し、インホイールモータである副駆動モータ２０により、副駆動輪である後輪１０２ｂを駆動するように本発明を構成することができる。このレイアウトにおいて、主駆動モータ１６は、インバータ１６ａを介して供給されるバッテリ１８に蓄積された電力により駆動することができる。また、キャパシタ２２、電圧変換器である高圧ＤＣ／ＤＣコンバータ２６ａ及び低圧ＤＣ／ＤＣコンバータ２６ｂ、及び２つのインバータ２０ａをユニット化した統合ユニットを、車両１０１の後部に配置することができる。さらに、副駆動モータ２０は、インバータ２０ａを介して供給される、直列に配置されたバッテリ１８及びキャパシタ２２に蓄積された電力により駆動することができる。
【００９９】
また、本発明をＦＦ車に適用する場合において、例えば、図１４に示すように、車両２０１の前方部分にエンジン１２、主駆動モータ１６、及びトランスミッション１４ｃを配置して、主駆動輪として前輪２０２ａを駆動するようにレイアウトすることができる。また、副駆動モータ２０をインホイールモータとして、主駆動輪である左右の前輪２０２ａに配置することができる。このように、車体側モータである主駆動モータ１６により、主駆動輪である前輪２０２ａを駆動し、インホイールモータである副駆動モータ２０によっても主駆動輪である前輪２０２ａを駆動するように本発明を構成することができる。このレイアウトにおいて、主駆動モータ１６は、インバータ１６ａを介して供給されるバッテリ１８に蓄積された電力により駆動することができる。また、キャパシタ２２、電圧変換器である高圧ＤＣ／ＤＣコンバータ２６ａ及び低圧ＤＣ／ＤＣコンバータ２６ｂ、及び２つのインバータ２０ａをユニット化した統合ユニットを、車両２０１の後部に配置することができる。さらに、副駆動モータ２０は、インバータ２０ａを介して供給される、直列に配置されたバッテリ１８及びキャパシタ２２に蓄積された電力により駆動することができる。
【０１００】
一方、本発明をＦＲ車に適用する場合において、例えば、図１５に示すように、車両３０１の前方部分にエンジン１２、主駆動モータ１６を配置し、プロペラシャフト１４ａを介して動力を車両３０１の後部へ導いて、主駆動輪として後輪３０２ｂを駆動するようにレイアウトすることができる。プロペラシャフト１４ａによって後部へ導かれた動力により、クラッチ１４ｂ、及び有段変速機であるトランスミッション１４ｃを介して後輪３０２ｂが駆動される。また、副駆動モータ２０をインホイールモータとして、主駆動輪である左右の後輪３０２ｂに配置することができる。このように、車体側モータである主駆動モータ１６により、主駆動輪である後輪３０２ｂを駆動し、インホイールモータである副駆動モータ２０によっても主駆動輪である後輪３０２ｂを駆動するように本発明を構成することができる。このレイアウトにおいて、主駆動モータ１６は、インバータ１６ａを介して供給されるバッテリ１８に蓄積された電力により駆動することができる。また、キャパシタ２２、電圧変換器である高圧ＤＣ／ＤＣコンバータ２６ａ及び低圧ＤＣ／ＤＣコンバータ２６ｂ、及び２つのインバータ２０ａをユニット化した統合ユニットを、車両３０１の前部に配置することができる。さらに、副駆動モータ２０は、インバータ２０ａを介して供給される、直列に配置されたバッテリ１８及びキャパシタ２２に蓄積された電力により駆動することができる。
【符号の説明】
【０１０１】
１    車両
２ａ  後輪（主駆動輪）
２ｂ  前輪（副駆動輪）
４ａ  サブフレーム
４ｂ  フロントサイドフレーム
４ｃ  ダッシュパネル
４ｄ  プロペラシャフトトンネル
６ａ  エンジンマウント
６ｂ  キャパシタ用マウント
８ａ  アッパアーム
８ｂ  ロアアーム
８ｃ  スプリング
８ｄ  ショックアブソーバ
１０    ハイブリッド駆動装置
１２    エンジン（内燃機関）
１４    動力伝達機構
１４ａ  プロペラシャフト
１４ｂ  クラッチ
１４ｃ  トランスミッション（有段変速機）
１４ｄ  トルクチューブ
１６    主駆動モータ（主駆動電動機）
１６ａ  インバータ
１８    バッテリ（蓄電器）
２０    副駆動モータ（副駆動電動機）
２０ａ  インバータ
２２    キャパシタ
２２ａ  ブラケット
２２ｂ  ハーネス
２４    制御装置
２６ａ  高圧ＤＣ／ＤＣコンバータ（電圧変換器）
２６ｂ  低圧ＤＣ／ＤＣコンバータ
２８    ステータ
２８ａ  ステータベース
２８ｂ  ステータシャフト
２８ｃ  ステータコイル
３０    ロータ
３０ａ  ロータ本体
３０ｂ  ロータコイル
３２    電気絶縁液室
３２ａ  電気絶縁液
３４    ベアリング
４０    モード選択スイッチ（走行モード選択器）
４２    車速センサ
４４    アクセル開度センサ
４６    ブレーキセンサ
４８    エンジン回転数センサ
５８    燃料噴射弁
６０    点火プラグ
１０１    車両
１０２ａ  前輪（主駆動輪）
１０２ｂ  後輪（副駆動輪）
２０１    車両
２０２ａ  前輪（主駆動輪）
３０１    車両
３０２ｂ  後輪（主駆動輪）
【図１】
2019163021.tif 000003
【図２】
2019163021.tif 000004
【図３】
2019163021.tif 000005
【図４】
2019163021.tif 000006
【図５】
2019163021.tif 000007
【図６】
2019163021.tif 000008
【図７】
2019163021.tif 000009
【図８】
2019163021.tif 000010
【図９】
2019163021.tif 000011
【図１０】
2019163021.tif 000012
【図１１】
2019163021.tif 000013
【図１２】
2019163021.tif 000014
【図１３】
2019163021.tif 000015
【図１４】
2019163021.tif 000016
【図１５】
2019163021.tif 000017